(57)【要約】【課題】電源の電力供給の停止等が生じた場合、さらに電力供給の停止により上位側のシステムがダウンした場合でも、閾値（契約アンペア値）を制御することが可能な電流制限器を提供する。【解決手段】電流制限器Ａは、電力を供給する電源と負荷との間に接続され、且つ、負荷に供給される電流が設定された閾値以上になると電源と負荷との間を遮断する遮断状態になる。この電流制限器Ａは、閾値を第１の閾値から第１の閾値よりも小さい第２の閾値に切り替えられる。【選択図】図１
2015026450.tif 000002
【特許請求の範囲】
【請求項１】
電力を供給する電源と負荷との間に接続され、且つ、前記負荷に供給される電流が設定された閾値以上になると前記電源と前記負荷との間を遮断する遮断状態になる電流制限器であって、
前記閾値を第１の閾値から前記第１の閾値よりも小さい第２の閾値に切り替えられることを特徴とする電流制限器。
【請求項２】
前記電流制限器は、前記電源の電力供給が停止してから、予め設定した設定時間が経過した後、前記閾値が第１の閾値から前記第１の閾値よりも小さい第２の閾値に切り替えられることを特徴とする請求項１に記載の電流制限器。
【請求項３】
前記電流制限器は、前記電源の電力供給が停止した状態以外は、前記閾値の切り替えを禁止することを特徴とする請求項１に記載の電流制限器。
【請求項４】
前記電流制限器は、スマートメータが受信した電源が供給する電力および前記電源または交流電力の停電に関する情報に基づいて、前記閾値を第１の閾値から前記第１の閾値よりも小さい第２の閾値に切り替えることを特徴とする請求項１に記載の電流制限器。
【請求項５】
前記電流制限器は、
前記電源の第１の配線および第２の配線に接続され、前記設定時間が経過した後に前記閾値を切り替えるための閾値設定回路と、
前記負荷に供給される電流が前記閾値以上になった場合に、前記負荷に供給される電流を遮断する遮断器と、を有し、
前記閾値設定回路は、
前記第１の配線に接続された第１の入力端子と、
前記第２の配線に接続された第２の入力端子と、
第１の出力端子と、
第２の出力端子と、
前記第２の入力端子に接続された第３の出力端子と、
前記第１の入力端子及び前記第２の入力端子に接続され、前記第１および第２の入力端子の電圧に基づいて、前記電源の電力供給の停止を検知し、前記電源の電力供給の停止を検知した後、前記設定時間を計測するタイマーと、
前記第１の入力端子と前記第１の出力端子との間、又は、前記第１の入力端子と前記第２の出力端子の間の何れか一方を導通するスイッチ回路と、を有し、
前記スイッチ回路は、前記タイマーが前記設定時間を計測した後に、前記第１の入力端子と前記第１の出力端子との間が導通した状態から、前記第１の入力端子と前記第２の出力端子の間が導通した状態にし、
前記遮断器は、
前記スイッチ回路が前記第１の入力端子と前記第１の出力端子との間を導通している場合には、前記第１および第３の出力端子に供給される電力を前記負荷に供給し、前記第１および第３の出力端子に流れる電流が前記第１の閾値以上になると、前記負荷への電力の供給を遮断し、
一方、前記スイッチ回路が前記第１の入力端子と前記第２の出力端子との間を導通している場合には、前記第２および第３の出力端子に供給される電力を前記負荷に供給し、    前記第２および第３の出力端子に流れる電流が前記第２の閾値以上になると、前記負荷への電力の供給を遮断する
ことを特徴とする請求項２に記載の電流制限器。
【請求項６】
電力を供給する電源と負荷との間に接続され、且つ、前記負荷に供給される電流が設定された閾値以上になると前記電源と前記負荷との間を遮断する遮断状態になる電流制限器を備え、
前記電流制限器において、前記閾値が第１の閾値から前記第１の閾値よりも小さい第２の閾値に切り替えられることを特徴とする電流制限システム。
【発明の詳細な説明】
【技術分野】
【０００１】
本発明は、電流制限器、および、この電流制限器を備えた電流制限システムに関する発明である。
【背景技術】
【０００２】
従来、電流制限器（アンペアブレーカー）は、電力会社と需要家との間で契約された閾値（アンペア値）、すなわち、電力会社から供給された商用電源（系統電源）の「契約アンペア値」を超えると、遮断状態になり、系統電源から負荷への電力の供給を停止する（例えば、特許文献１、特許文献２参照）。
【先行技術文献】
【特許文献】
【０００３】
【特許文献１】特開２０１１−２９０８３号公報
【特許文献２】特開２００９−１１８５９３号公報
【発明の概要】
【発明が解決しようとする課題】
【０００４】
ここで、発送電分離後、自然エネルギーの導入が一層進むことが予想される。そして、自然エネルギーの導入が一層進むと、電力網内での供給バランスが不安定になり、電力網内での供給バランスの最適化調整が失敗して発電機が脱調し、または、発電機が故障するなどの影響により、系統電源から供給される電力が実際の需要量よりも少なくなる可能性がある。
【０００５】
また、例えば、電力網内において、分散型電源（ガスエンジンや燃料電池など）を設置し、自立運転して電力供給する電力システムにおいても、分散型電源に故障が生じた場合なども、供給される電力が実際の需要量よりも少なくなる可能性がある。  それらの結果または震災などの非常事態により、電力供給の停止した停電が生じた場合には、電力供給の復旧を早めたり、安定化させるために、一定期間、需要量を調整することが必要となる場合が考えられる。この場合、各需要家に設置された電流制限器（アンペアブレーカー）の閾値（アンペア値）を調整することが想定される。
【０００６】
さらに、将来、例えば、スマートメータなどの通信により、直接、電流制限器の閾値（アンペア値）を調整することを想定した場合、上位側のシステムがダウンすると、電流制限器の閾値を制御できない問題がある。
【課題を解決するための手段】
【０００７】
本発明の一態様に係る実施例に従った電流制限器は、
電力を供給する電源と負荷との間に接続され、且つ、前記負荷に供給される電流が設定された閾値以上になると前記電源と前記負荷との間を遮断する遮断状態になる電流制限器であって、
前記閾値が第１の閾値から前記第１の閾値よりも小さい第２の閾値に切り替えられることを特徴とする。
【０００８】
本発明の一態様に係る実施例に従った電流制限システムは、
電力を供給する電源と負荷との間に接続され、且つ、前記負荷に供給される電流が設定された閾値以上になると前記電源と前記負荷との間を遮断する遮断状態になる電流制限器を備え、
前記電流制限器において、前記閾値が第１の閾値から前記第１の閾値よりも小さい第２の閾値に切り替えられる
ことを特徴とする。
【０００９】
本発明の一態様に係る実施例に従った電源システムは、
電力を負荷に供給するための電源システムであって、
電源と負荷との間に接続され且つ前記負荷に供給される電流が設定された閾値以上になると前記電源と前記負荷との間を遮断する遮断状態になる電流制限器を有する分電盤を備え、
前記電流制限器において、前記電源の電力供給が停止してから、予め設定した設定時間が経過した後、前記閾値が第１の閾値から前記第１の閾値よりも小さい第２の閾値に切り替えられる
ことを特徴とする。
【００１０】
前記本発明の一態様に係る実施例に従った電源システムにおいて、
前記電源システムは、
少なくとも電源が供給する交流電力および前記電源の停電に関する情報を取得する通信端末と、
少なくとも前記負荷の電力消費量を計測し、得られた計測値を無線通信により、前記通信端末に送信するとともに、無線通信により前記通信端末から送信された前記電源が供給する交流電力および前記電源の停電に関する情報を受信し、また前記電源から電力が供給されるスマートメータと、をさらに備え、
前記分電盤は、前記スマートメータが受信した情報に基づいて、前記電流制限器を制御するコントローラをさらに有する
ことを特徴とする。
【００１１】
前記本発明の一態様に係る実施例に従った電源システムにおいて、
前記電流制限器は、前記電源の電力供給が停止すると遮断状態になり、前記設定時間が経過する前に、再度、前記電源と前記負荷との間を導通する導通状態になり、その後、継続して前記電源からの電力供給が停止している場合には、再度、遮断状態になり、その後、前記設定時間が経過した後、前記閾値が前記第１の閾値から前記第２の閾値に切り替えられる
ことを特徴とする。
【００１２】
前記本発明の一態様に係る実施例に従った電源システムにおいて、
前記電流制限器は、前記閾値が前記第１の閾値から前記第２の閾値に切り替えられた後、自動的に前記電源と前記負荷との間を導通する導通状態になる
ことを特徴とする。
【００１３】
前記本発明の一態様に係る実施例に従った電源システムにおいて、
前記コントローラは、前記電源の電力供給が停止してから、前記設定時間を計測し、前記設定時間が経過した後、前記閾値を第１の閾値から前記第２の閾値に切り替えるように前記電流制限器を制御する
ことを特徴とする。
【００１４】
前記本発明の一態様に係る実施例に従った電源システムにおいて、
前記コントローラは、前記電源の電力供給が停止した時に前記コントローラが前記電流制限器の制御を実行するための電力を供給するバッテリを、有する
ことを特徴とする。
【００１５】
前記本発明の一態様に係る実施例に従った電源システムにおいて、
前記コントローラは、
前記閾値を前記第２の閾値に切り替えた後、前記スマートメータから受信した情報に基づいて、前記閾値を前記第２の閾値から前記第１の閾値に切り替えるように前記電流制限器を制御する
ことを特徴とする。
【００１６】
前記本発明の一態様に係る実施例に従った電源システムにおいて、
前記スマートメータは、前記電源の電力の供給レベルが予め設定された規定値以上であることを示す情報に基づいて、前記コントローラに前記閾値を前記第２の閾値から前記第１の閾値に切り替えるように前記電流制限器を制御させる情報を出力する
ことを特徴とする。
【００１７】
前記本発明の一態様に係る実施例に従った電源システムにおいて、
前記電流制限器は、
前記電源の第１の配線および第２の配線に接続され、前記設定時間が経過した後に前記閾値を切り替えるための閾値設定回路と、
前記負荷に供給される電流が前記閾値以上になった場合に、前記負荷に供給される電流を遮断する遮断器と、を有し、
前記閾値設定回路は、
前記第１の配線に接続された第１の入力端子と、
前記第２の配線に接続された第２の入力端子と、
第１の出力端子と、
第２の出力端子と、
前記第２の入力端子に接続された第３の出力端子と、
前記第１の入力端子及び前記第２の入力端子に接続され、前記第１および第２の入力端子の電圧に基づいて、前記電源の電力供給の停止を検知し、前記電源の電力供給の停止を検知した後、前記設定時間を計測するタイマーと、
前記第１の入力端子と前記第１の出力端子との間、又は、前記第１の入力端子と前記第２の出力端子の間の何れか一方を導通するスイッチ回路と、を有し、
前記スイッチ回路は、前記タイマーが前記設定時間を計測した後に、前記第１の入力端子と前記第１の出力端子との間が導通した状態から、前記第１の入力端子と前記第２の出力端子の間が導通した状態にし、
前記遮断器は、
前記スイッチ回路が前記第１の入力端子と前記第１の出力端子との間を導通している場合には、前記第１および第３の出力端子に供給される電力を前記負荷に供給し、前記第１および第３の出力端子に流れる電流が前記第１の閾値以上になると、前記負荷への電力の供給を遮断し、
一方、前記スイッチ回路が前記第１の入力端子と前記第２の出力端子との間を導通している場合には、前記第２および第３の出力端子に供給される電力を前記負荷に供給し、    前記第２および第３の出力端子に流れる電流が前記第２の閾値以上になると、前記負荷への電力の供給を遮断する
ことを特徴とする。
【００１８】
前記本発明の一態様に係る実施例に従った電源システムにおいて、
前記スイッチ回路は、前記電源の電力の供給レベルが規定値以上であることを示す情報に基づいて、前記第１の入力端子と前記第２の出力端子との間が導通した状態から、前記第１の入力端子と前記第１の出力端子の間が導通した状態に戻す
ことを特徴とする。
【００１９】
前記本発明の一態様に係る実施例に従った電源システムにおいて、
前記電流制限器は、使用者の操作により前記閾値を前記第１の閾値から前記第２の閾値に切り替え可能な操作部を、有する
ことを特徴とする。
【００２０】
前記本発明の一態様に係る実施例に従った電源システムにおいて、
前記電流制限器において、使用者による前記操作部の操作に応じて、前記閾値が前記第２の閾値から前記第１の閾値に切り替えられる
ことを特徴とする。
【００２１】
前記本発明の一態様に係る実施例に従った電源システムにおいて、
前記電流制限器は、前記電源の電力供給が停止した状態以外は、前記閾値の切り替えを禁止する機能を有する
ことを特徴とする。
【００２２】
前記本発明の一態様に係る実施例に従った電源システムにおいて、
前記電流制限器は、前記負荷に供給される電流が設定された前記閾値未満のときは、前記電源と前記負荷との間を導通する導通状態になる
ことを特徴とする。
【発明の効果】
【００２３】
本発明の一態様に係る電流制限器は、電力供給の停止等により、需要を抑制する必要がある場合に簡単に閾値を制御することができる。また、電源の上位側のシステムがダウンした場合でも、閾値を制御することができる。
【図面の簡単な説明】
【００２４】
【図１】図１は、実施例１に係る電流制限器Ａの構成の一例を示す図である。
【図２】図２は、図１に示す電流制限器Ａが適用される電源システムＺの一例を示す図である。
【図３】図３は、電流制限器Ａにおいて自動的に閾値を切り替える場合における、電源システムＺの制御動作のフローの一例を示すフロー図である。
【図４】図４は、電流制限器ＡがコントローラＭＣＵにより制御されて閾値を切り替える場合における、電源システムＺの制御動作のフローの一例を示すフロー図である。
【発明を実施するための形態】
【００２５】
以下、本発明に係る各実施例について図面に基づいて説明する。
【実施例１】
【００２６】
本実施例１では、自動的に閾値を切り替える電流制限器（アンペアブレーカー）の構成の一例について説明する。
【００２７】
図１は、実施例１に係る電流制限器Ａの構成の一例を示す図である。この図１に示す例では、一例として、配電方式が単相２線式である場合について記載しているが、他の配電方式であってもよい。
【００２８】
図１に示すように、電流制限器Ａは、例えば、閾値設定回路１と、遮断器２と、を有する。
【００２９】
閾値設定回路１は、電源の第１の配線および第２の配線に接続され、設定時間が経過した後に閾値を切り替えるようになっている。なお、この電源の形態は、例えば、系統電源による電力供給形態や、自立分散電源のみによる電力供給形態等である。
【００３０】
遮断器２は、負荷に供給される電流が既述の閾値以上になった場合に、負荷に供給される電流を遮断するようになっている。
【００３１】
この閾値設定回路１は、第１の入力端子Ｓ１と、第２の入力端子Ｓ２と、第１の出力端子Ｌ１と、第２の出力端子Ｌ２と、第３の出力端子Ｌ３と、タイマーＴと、スイッチ回路ＳＷと、を有する。
【００３２】
第１の入力端子Ｓ１は、第１の配線に接続されている。第２の入力端子Ｓ２は、第２の配線に接続されている。第３の出力端子Ｌ３は、第２の入力端子Ｓ２に接続されている。
【００３３】
タイマーＴは、第１の入力端子Ｓ１及び第２の入力端子Ｓ２に接続されている。
【００３４】
このタイマーＴは、第１および第２の入力端子Ｓ１、Ｓ２の電圧に基づいて、電源の電力供給の停止を検知するようになっている。例えば、タイマーＴは、第１および第２の入力端子Ｓ１、Ｓ２の電圧が所定レベル未満である場合には、電源の電力供給が停止していると判断する。そして、タイマーＴは、電源の電力供給の停止を検知した後、設定時間を計測する。
【００３５】
また、スイッチ回路ＳＷは、第１の入力端子Ｓ１と第１の出力端子Ｌ１との間、又は、第１の入力端子Ｓ１と第２の出力端子Ｌ２の間の何れか一方を導通するようになっている。
【００３６】
このスイッチ回路ＳＷは、タイマーＴが設定時間を計測した後に、第１の入力端子Ｓ１と第１の出力端子Ｌ１との間が導通した状態から、第１の入力端子Ｓ１と第２の出力端子Ｌ２の間が導通した状態にするようになっている。
【００３７】
例えば、遮断器２は、スイッチ回路ＳＷが第１の入力端子Ｓ１と第１の出力端子Ｌ１との間を導通している場合には、第１および第３の出力端子Ｌ１、Ｌ３に供給される電力を負荷に供給するようになっている。そして、この場合、遮断器２は、第１および第３の出力端子Ｌ１、Ｌ３に流れる電流が第１の閾値以上になると、負荷への電力の供給を遮断するようになっている。
【００３８】
このように、タイマーＴが設定時間を計測する前は、電流制限器Ａの閾値（アンペア値）は、第１の閾値に設定され、負荷へ供給される電流が第１の閾値未満に制限される。
【００３９】
一方、遮断器２は、スイッチ回路ＳＷが第１の入力端子Ｓ１と第２の出力端子Ｌ２との間を導通している場合には、第２および第３の出力端子Ｌ２、Ｌ３に供給される電力を負荷に供給するようになっている。そして、この場合、遮断器２は、第２および第３の出力端子Ｌ２、Ｌ３に流れる電流が第１の閾値よりも小さい第２の閾値以上になると、負荷への電力の供給を遮断するようになっている。
【００４０】
このように、電源の電力供給の停止し、タイマーＴが設定時間を計測した後は、電流制限器Ａの閾値（アンペア値）は、第２の閾値に設定され、負荷へ供給される電流が第１の閾値より小さい第２の閾値未満に制限される。
【００４１】
なお、スイッチ回路ＳＷは、電源の電力の供給レベルが規定値以上であることを示す情報に基づいて、第１の入力端子Ｓ１と第２の出力端子Ｌ２との間が導通した状態から、第１の入力端子Ｓ１と第１の出力端子Ｌ１の間が導通した状態に戻す。
【００４２】
ここで、以上のような構成・機能を有する電流制限器Ａの動作の一例について簡単に説明する。
【００４３】
例えば、電源の電力供給が停止すると、電流制限器Ａのタイマーは、電源の電力供給が停止してから、動作を開始する。これによりタイマーＴにより既述の設定時間が計測される。
【００４４】
そして、電流制限器Ａのスイッチ回路ＳＷは、タイマーＴが設定時間を計測した後に、第１の入力端子Ｓ１と第１の出力端子Ｌ１との間が導通した状態から、第１の入力端子Ｓ１と第２の出力端子Ｌ２の間が導通した状態にする。
【００４５】
そして、遮断器２は、第２および第３の出力端子Ｌ２、Ｌ３に供給される電力を負荷に供給する。そして、遮断器２は、第２および第３の出力端子Ｌ２、Ｌ３に流れる電流が第２の閾値以上になると、負荷への電力の供給を遮断する。
【００４６】
すなわち、電流制限器（アンペアブレーカー）Ａの契約アンペアが小さいアンペア値に切り替えられる。
【００４７】
以上のように、本実施例１に係る電流制限器は、自動的に閾値を制御することができる。
【実施例２】
【００４８】
本実施例２では、図１に示す電流制限器Ａが適用される電源システムの構成および動作の一例について説明する。
【００４９】
図２は、図１に示す電流制限器Ａが適用される電源システムＺの一例を示す図である。   図２に示す電源システムＺは、例えば、スマートグリッドの基盤となるＡＭＩ（Ａｄｖａｎｃｅｄ  Ｍｅｔｅｒｉｎｇ  Ｉｎｆｒａｓｔｒｕｃｔｕｒｅ）システムである。
【００５０】
このＡＭＩシステムは、住宅やビル、工場などの需要家と電力系統間の双方向通信を実現する。このＡＭＩシステムのＡＭＩ通信により、電力系統に実施する電力需要制御に加え、需要家と電力系統の強調制御による効率的な電力供給制御が可能となる。
【００５１】
ここで、図２に示すように、電源システムＺは、無線通信端末（ＭＤＭＳ：Ｍａｔｅｒ  Ｄａｔａ  Ｍａｎａｇｅｍｅｎｔ  Ｓｙｓｔｅｍ）Ｘと、無線通信網（ＡＭＩ通信網）Ｙと、スマートメータＭと、分電盤（電流制限システム）Ｄと、を備える。
【００５２】
電源Ｇは、発電所で発電された電力を供給するようになっている。すなわち、ここでは、電源Ｇは、系統電源である。ここで、既述のスマートグリッド全体を制御するμＥＭＳ（図示せず）は、この電源Ｇの電力供給を安定化させるための電力需給計画を立て、通信端末Ｘに指示するようになっている。
【００５３】
そして、通信端末Ｘは、スマートメータＭの管理を実行するようになっている。例えば、この通信端末Ｘは、上述のμＥＭＳから、少なくとも電源Ｇが供給する交流電力（電力需給計画）および電源Ｇの停電に関する情報を取得する。そして、通信端末Ｘは、指示された電力需給計画情報から電力需給制御のための情報を作成し、スマートメータＭに送信する。
【００５４】
なお、この通信端末ＸとスマートメータＭとは、無線通信網（ＡＭＩ通信網）Ｙにより、無線通信するようになっている。
【００５５】
そして、スマートメータＭは、少なくとも負荷（需要家）Ｒの電力消費量や発電量を計測し、得られた計測値を無線通信により、通信端末Ｘに送信するようになっている。
【００５６】
すなわち、このスマートメータＭで計測された負荷（需要家）Ｒの電力消費量は、ＡＭＩ通信網Ｙを経由して、通信端末Ｘで集約された後、μＥＭＳに通知される。
【００５７】
さらに、このスマートメータＭは、既述のように、無線通信により、通信端末Ｘから送信された電源Ｇが供給する交流電力および電源Ｇの停電に関する情報を、受信するようになっている。
【００５８】
このスマートメータＭは、例えば、電源Ｇから電力が供給され、この電力により動作するようになっている。この場合、スマートメータＭは、電源Ｇの電力供給が停止すると、その動作を停止することとなる。  
また、分電盤Ｄは、電源Ｇと負荷Ｒとの間に接続されている。
【００５９】
この分電盤Ｄは、例えば、図２に示すように、コントローラ（Ｍｅｍｏｒｙ  Ｃｏｎｔｒｏｌ  Ｕｎｉｔ）ＭＣＵと、電流制限器（アンペアブレーカー）Ａと、を有する。なお、図２に示す例では、簡単のため、分電盤（電流制限システム）Ｄにおいて、漏電遮断器及び配線用遮断器は省略されている。これらの漏電遮断器及び配線用遮断器は、例えば、電流制限器（アンペアブレーカー）Ａの負荷Ｒ側に接続される。
【００６０】
この分電盤ＤのコントローラＭＣＵは、スマートメータＭが受信した情報に基づいて、電流制限器Ａを制御するようになっている。
【００６１】
そして、電流制限器Ａは、電源Ｇと負荷Ｒとの間に接続されている。この電流制限器Ａは、負荷Ｒに供給される電流が設定された閾値（アンペア値）以上になると電源Ｇと負荷Ｒとの間を遮断する遮断状態になる。そして、電流制限器Ａがこの遮断状態になることにより、電源Ｇから負荷Ｒへの電力の供給が遮断される。
【００６２】
一方、この電流制限器Ａは、負荷Ｒに供給される電流が設定された閾値未満のときは、電源Ｇと負荷Ｒとの間を導通する導通状態になる。そして、電流制限器Ａがこの導通状態になることにより、電源Ｇから負荷Ｒへ電力が供給される。
【００６３】
ここで、この電流制限器Ａにおいて、電源Ｇの電力供給が停止してから、予め設定した設定時間が経過した後、閾値が第１の閾値からこの第１の閾値よりも小さい第２の閾値に切り替えられるようになっている。
【００６４】
そして、例えば、電流制限器Ａは、電源Ｇの電力供給が停止すると遮断状態になり、上述の設定時間が経過する前に、再度、導通状態（自動投入）になる。その後、電流制限器Ａは、継続して電源Ｇからの電力供給が停止している場合には、再度、遮断状態になる。その後、電流制限器Ａは、上述の設定時間が経過した後、閾値が第１の閾値から第２の閾値に切り替えられる。
【００６５】
これにより、発電機の故障や分散型電源容量を鑑みて、システム全体の電力負荷を小さくして、電力供給の再開に備えることができる。
【００６６】
そして、電流制限器Ａは、閾値が第１の閾値から第２の閾値に切り替えられた後、電源Ｇの電力供給が再開されると、自動的に導通状態になる。
【００６７】
これにより、電力負荷を小さくした状態で、負荷Ｒに対して電力供給を実施することができる。すなわち、電力網内での軽負荷運転が可能になる。
【００６８】
ここで、例えば、コントローラＭＣＵが、電源Ｇの電力供給が停止してから、設定時間を計測し、設定時間が経過した後、閾値を第１の閾値から第２の閾値に切り替えるように電流制限器Ａを制御するようにしてもよい。この場合、コントローラＭＣＵは、電源Ｇの電力供給が停止した時に、コントローラＭＣＵが電流制限器Ａの制御を実行するための電力を供給するバッテリを有する。
【００６９】
また、コントローラＭＣＵは、閾値を第２の閾値に切り替えた後、スマートメータＭから受信した情報（指令）に基づいて、閾値を第２の閾値から第１の閾値に切り替えるように電流制限器Ａを制御するようになっている。
【００７０】
そして、スマートメータＭは、例えば、通信端末Ｘから受信した電源Ｇの電力の供給レベルが予め設定された規定値（例えば、停電前の電力供給レベル）以上であることを示す情報に基づいて、コントローラＭＣＵに閾値を第２の閾値から第１の閾値に切り替えるように電流制限器Ａを制御させる情報（指令）を出力するようになっている。
【００７１】
なお、既述のように、電源Ｇは、分散電源であってもよい。この場合、１台、または数台の分散電源に故障などが生じて、全体として、電源Ｇの電力が正常時のように出力されないケースがある。その場合、負荷（需要家）がそのまま電力を使用すると、最悪、その時点で電源が出せる出力を超える需要が生じてしまうことも考えられる。結果として、分散電源全体のダウンが想定される。
【００７２】
そこで、スマートメータＭは、分散電源に異常が発生しているという情報を基に（停電前に需要制限をするために）電流制限器Ａの閾値を第１の閾値から第２の閾値に切り替えるようにしてもよい。これにより、分散電源全体のダウンを抑制することができる。
【００７３】
次に、以上のような構成・機能を有する電源システムＺの動作の一例について説明する。
【００７４】
ここで、図３は、電流制限器Ａにおいて自動的に閾値を切り替える場合における、電源システムＺの制御動作のフローの一例を示すフロー図である。
【００７５】
図３に示すように、例えば、発電機の故障等により、電源Ｇの電力供給が停止する（ステップＳ１）。  
そして、図１に示す電流制限器Ａのタイマーが、電源Ｇの電力供給が停止してから、動作を開始する（ステップＳ２ａ）。これによりタイマーＴにより既述の設定時間が計測される。
【００７６】
そして、図１に示す電流制限器Ａのスイッチ回路ＳＷは、タイマーＴが設定時間を計測した後に、第１の入力端子Ｓ１と第１の出力端子Ｌ１との間が導通した状態から、第１の入力端子Ｓ１と第２の出力端子Ｌ２の間が導通した状態にする。
【００７７】
そして、図１に示す遮断器２は、第２および第３の出力端子Ｌ２、Ｌ３に供給される電力を負荷Ｒに供給する。そして、遮断器２は、第２および第３の出力端子Ｌ２、Ｌ３に流れる電流が第２の閾値以上になると、負荷Ｒへの電力の供給を遮断するようになっている。
【００７８】
すなわち、電流制限器（アンペアブレーカー）Ａの契約アンペアが小さいアンペア値に切り替えられる（ステップＳ３）。
【００７９】
そして、電流制限器Ａは、閾値が第１の閾値から第２の閾値に切り替えられた後、電源Ｇの電力供給が再開されると、自動的に導通状態になる。
【００８０】
これにより、発電機の故障や分散型電源容量を鑑みて、システム全体の電力負荷を小さくして、電力供給の再開に備えられた状態になる。
【００８１】
その後、例えば、電力網内での軽負荷運転が実施されて、電源側に設けられた配線自動開閉器（図示せず）が異常を検出せず、再遮断しなければ、電源Ｇの電力供給が再開される（ステップＳ４）。
【００８２】
その後、スマートメータＭは、電力供給され、その動作が復旧する（ステップＳ５）。
【００８３】
そして、スマートメータＭは、例えば、通信端末Ｘから受信した電源Ｇの電力の供給レベルが予め設定された規定値（例えば、停電前の電力供給レベル）以上であることを示す情報に基づいて、コントローラＭＣＵに閾値を第２の閾値から第１の閾値に切り替える（スイッチ回路ＳＷを制御する）ように電流制限器Ａを制御させる情報（指令）を出力する。これにより、コントローラＭＣＵが電流制限器Ａに閾値を第２の閾値から第１の閾値に切り替えさせるので、電流制限器（アンペアブレーカー）Ａの契約アンペアが元に戻されることなる（ステップＳ６）。
【００８４】
以上のステップにより、電源Ｇの電力供給の停止等により、上位側のシステムがダウンした場合でも、電流制限器Ａの閾値が制御されることとなる。
【００８５】
また、図４は、電流制限器ＡがコントローラＭＣＵにより制御されて閾値を切り替える場合における、電源システムＺの制御動作のフローの一例を示すフロー図である。なお、この場合、電流制限器ＡのタイマーＴを省略することができる。
【００８６】
図４に示すように、例えば、発電機の故障等により、電源Ｇの電力供給が停止する（ステップＳ１）。  
そして、コントローラＭＣＵが、電源Ｇの電力供給が停止してからの経過時間のカウントを開始する（ステップＳ２）。これにより、コントローラＭＣＵにより既述の設定時間が計測される。
【００８７】
そして、所定時間の経過後、すなわち、電源Ｇの電力供給が停止してから既述の設定時間が経過した後、コントローラＭＣＵが、電流制限器Ａの閾値を第１の閾値から第２の閾値に切り替えるように電流制限器Ａを制御する。すなわち、電流制限器（アンペアブレーカー）Ａの契約アンペアが小さいアンペア値に切り替えられる（ステップＳ３）。
【００８８】
そして、電流制限器Ａは、閾値が第１の閾値から第２の閾値に切り替えられた後、電源Ｇの電力供給が再開されると、自動的に導通状態になる。
【００８９】
これにより、発電機の故障や分散型電源容量を鑑みて、システム全体の電力負荷を小さくして、電力供給の再開に備えられた状態になる。
【００９０】
その後、例えば、電力網内での軽負荷運転が実施されて、電源側に設けられた配線自動開閉器（図示せず）が異常を検出せず、再遮断しなければ、電源Ｇの電力供給が再開される（ステップＳ４）。
【００９１】
これにより、電力負荷を小さくした状態で、負荷Ｒに対して電力供給を実施することができる。すなわち、電力網内での軽負荷運転が可能になる。
【００９２】
その後、スマートメータＭは、電力供給され、その動作が復旧する（ステップＳ５）。
【００９３】
そして、スマートメータＭは、例えば、通信端末Ｘから受信した電源Ｇの電力の供給レベルが予め設定された規定値（例えば、停電前の電力供給レベル）以上であることを示す情報に基づいて、コントローラＭＣＵに閾値を第２の閾値から第１の閾値に切り替えるように電流制限器Ａを制御させる情報（指令）を出力する。
【００９４】
これにより、コントローラＭＣＵが電流制限器Ａに閾値を第２の閾値から第１の閾値に切り替えさせるので、電流制限器（アンペアブレーカー）Ａの契約アンペアが元に戻されることなる（ステップＳ６）。
【００９５】
以上のステップにより、電源Ｇの電力供給の停止等により、上位側のシステムがダウンした場合でも、電流制限器Ａの閾値が制御されることとなる。
【００９６】
以上のように、本発明の一態様に係る電源システムＺでは、電力供給が停止した状態が設定時間経過した場合には、電流制限器（アンペアブレーカー）の閾値（契約アンペア）を、第１の閾値（例えば、４０アンペア）から第２の閾値（例えば、２０アンペア）に切り替える。
【００９７】
これにより、発電機の故障や分散型電源容量を鑑みて、システム全体の電力負荷を小さくして、電力供給の再開に備えることができる。
【００９８】
さらに、分電盤とスマートメータの復電機能を独立にすることで、上位側のシステムがダウンしても、電流制限器（アンペアブレーカー）の閾値（アンペア値）を切り替えることができる。
【００９９】
すなわち、本発明の一態様に係る電流制限システムおよび電源システムは、電源の電力供給の停止等により、上位側のシステムがダウンした場合でも、電流制限器の閾値を制御することができる。
【０１００】
なお、本発明の一態様に係る電源システムは、電力網内での軽負荷運転が可能であるため、発電機の故障による電源の需要逼迫による計画停電の実施回避や、分散電源を用いた自立運転も実施することが可能である。
【０１０１】
また、本発明に係る電流制限システムは、エレベータや給水ポンプなど必要な需要負荷に対し、適用することも可能である。
【実施例３】
【０１０２】
ここで、既述の実施例１、２のように、図１に示す電流制限器ＡがコントローラＭＣＵにより制御されて閾値を切り替える場合や、電流制限器Ａにおいて自動的に閾値を切り替える場合以外に、使用者が電流制限器Ａの閾値を手動で切り替えるようにしてもよい。
【０１０３】
そこで、本実施例３では、使用者が電流制限器Ａの閾値を手動で切り替える場合について説明する。
【０１０４】
例えば、図１に示す電流制限器Ａは、使用者の操作により閾値を第１の閾値から第２の閾値に切り替え可能な操作部（図示せず）を、有するようにしてもよい。
【０１０５】
この場合、電流制限器Ａにおいて、使用者による操作部の操作に応じて、閾値が第２の閾値から第１の閾値に切り替えられる。
【０１０６】
より好ましくは、上記場合、電流制限器Ａは、電源Ｇの電力供給が停止した状態以外は、閾値の切り替えを禁止する機能を有するようにしてもよい。これにより、安全性を向上することができる。
【０１０７】
なお、使用者は、例えば、放送、通信等による情報提供に応じて、既述の操作部による閾値の切替を実行する。
【０１０８】
以上のように、本実施例３に係る電流制限器は、閾値を制御することができる。
【０１０９】
実施例は例示であり、発明の範囲はそれらに限定されない。
【符号の説明】
【０１１０】
Ｍ  スマートメータ
Ｚ  電源システム
１  閾値設定回路
２  遮断器
Ｇ  電源
Ｘ  無線通信端末（ＭＤＭＳ：Ｍａｔｅｒ  Ｄａｔａ  Ｍａｎａｇｅｍｅｎｔ  Ｓｙｓｔｅｍ）
Ｙ  無線通信網（ＡＭＩ通信網）
Ｄ  分電盤
ＭＣＵ  コントローラ（Ｍｅｍｏｒｙ  Ｃｏｎｔｒｏｌ  Ｕｎｉｔ）
Ａ  電流制限器（アンペアブレーカー）
Ｓ１  第１の入力端子
Ｓ２  第２の入力端子
Ｌ１  第１の出力端子
Ｌ２  第２の出力端子
Ｌ３  第３の出力端子
Ｔ  タイマー
ＳＷ  スイッチ回路
【図１】
2015026450.tif 000003
【図２】
2015026450.tif 000004
【図３】
2015026450.tif 000005
【図４】
2015026450.tif 000006